(57)【要約】【課題】追加サービスを装置に追加する際に、その装置の利用情報に関する情報収集の許諾可否の設定、又は、その装置の既存サービスに関する情報収集の許諾可否の設定を用いて、追加サービスに関する情報収集の許諾可否を設定することを可能とする。【解決手段】情報収集の許諾可否の設定がされておらず自装置に追加される追加サービスを受け付ける受付手段と、情報収集の許諾可否の設定がされた自装置の利用情報と、追加サービスの利用情報とが類似する場合に、自装置の利用情報に関する情報収集の許諾可否の設定の少なくとも一部を、追加サービスに関する情報収集の許諾可否の設定とするよう制御する制御手段とを備えたことを特徴とする情報処理装置。【選択図】図２
2020178223.tif 000002
【特許請求の範囲】
【請求項１】
情報収集の許諾可否の設定がされておらず自装置に追加される追加サービスを受け付ける受付手段と、
情報収集の許諾可否の設定がされた自装置の利用情報と、前記追加サービスの利用情報とが類似する場合に、当該自装置の利用情報に関する情報収集の許諾可否の設定の少なくとも一部を、当該追加サービスに関する情報収集の許諾可否の設定とするよう制御する制御手段と
を備えたことを特徴とする情報処理装置。
【請求項２】
前記制御手段は、前記自装置の利用情報の種類と、前記追加サービスの利用情報の種類との類似率が、予め定められた基準を満たす場合に、当該自装置の利用情報と、当該追加サービスの利用情報とが類似すると判断することを特徴とする請求項１に記載の情報処理装置。
【請求項３】
前記制御手段は、前記自装置の利用情報の複数個の種類の中に、前記追加サービスの利用情報の閾値以上の個数の種類が含まれる場合に、前記類似率が前記予め定められた基準を満たすと判断することを特徴とする請求項２に記載の情報処理装置。
【請求項４】
前記制御手段は、前記自装置の利用情報の複数個の種類のそれぞれに設定された重要度を示す指標を用いて、前記類似率が前記予め定められた基準を満たすかどうかを判断することを特徴とする請求項２に記載の情報処理装置。
【請求項５】
前記自装置の利用情報に関する情報収集の許諾可否の設定の少なくとも一部を、前記追加サービスに関する情報収集の許諾可否の設定としてよいかを確認する確認画面を表示させる表示制御手段を更に備えたことを特徴とする請求項１に記載の情報処理装置。
【請求項６】
前記表示制御手段は、前記自装置の利用情報のうちサービスに関する利用情報と、前記追加サービスの利用情報のうちサービスに関する利用情報とが類似せず、当該自装置の利用情報のうちサービスに関する利用情報以外の利用情報と、当該追加サービスの利用情報のうちサービスに関する利用情報以外の利用情報とが類似する場合に、前記確認画面を表示させることを特徴とする請求項５に記載の情報処理装置。
【請求項７】
前記表示制御手段は、前記自装置の利用情報のうち重要度が高いものとして定められた特定の利用情報が、前記追加サービスの利用情報に含まれる場合に、前記確認画面を表示させることを特徴とする請求項５に記載の情報処理装置。
【請求項８】
前記表示制御手段は、自装置に対する前記追加サービスの追加が完了する旨を示す前記確認画面を表示させることを特徴とする請求項５に記載の情報処理装置。
【請求項９】
情報収集の許諾可否の設定がされておらず自装置に追加される追加サービスを受け付ける受付手段と、
情報収集の許諾可否の設定がされた自装置の既存サービスと、前記追加サービスとが類似する場合に、当該既存サービスに関する情報収集の許諾可否の設定の少なくとも一部を、当該追加サービスに関する情報収集の許諾可否の設定とするよう制御する制御手段と
を備えたことを特徴とする情報処理装置。
【請求項１０】
コンピュータに、
情報収集の許諾可否の設定がされておらず自装置に追加される追加サービスを受け付ける機能と、
情報収集の許諾可否の設定がされた自装置の利用情報と、前記追加サービスの利用情報とが類似する場合に、当該自装置の利用情報に関する情報収集の許諾可否の設定の少なくとも一部を、当該追加サービスに関する情報収集の許諾可否の設定とするよう制御する機能と
を実現させるためのプログラム。
【請求項１１】
コンピュータに、
情報収集の許諾可否の設定がされておらず自装置に追加される追加サービスを受け付ける機能と、
情報収集の許諾可否の設定がされた自装置の既存サービスと、前記追加サービスとが類似する場合に、当該既存サービスに関する情報収集の許諾可否の設定の少なくとも一部を、当該追加サービスに関する情報収集の許諾可否の設定とするよう制御する機能と
を実現させるためのプログラム。
【発明の詳細な説明】
【技術分野】
【０００１】
本発明は、情報処理装置及びプログラムに関する。
【背景技術】
【０００２】
情報処理装置と、情報処理装置のアプリケーションを管理する管理装置と、アプリケーションに関するデータを配信する配信装置とを含み、情報処理装置は、アプリケーションに関連するジョブを管理装置から取得し、取得したジョブに従って、情報処理装置のアプリケーションに対する制御を行い、制御に伴って、取得したジョブに含まれる設定情報に従い、情報処理装置の設定およびアプリケーションの設定の少なくとも一方を変更する管理システムは、知られている（例えば、特許文献１参照）。
【先行技術文献】
【特許文献】
【０００３】
【特許文献１】特開２０１７−４１７５号公報
【発明の概要】
【発明が解決しようとする課題】
【０００４】
追加サービスを装置に追加する際に、追加サービスに対する設定情報をそのまま反映させる構成を採用した場合には、その装置の利用情報に関する情報収集の許諾可否の設定、又は、その装置の既存サービスに関する情報収集の許諾可否の設定を用いて、追加サービスに関する情報収集の許諾可否を設定することができない。
【０００５】
本発明の目的は、追加サービスを装置に追加する際に、その装置の利用情報に関する情報収集の許諾可否の設定、又は、その装置の既存サービスに関する情報収集の許諾可否の設定を用いて、追加サービスに関する情報収集の許諾可否を設定することを可能とすることにある。
【課題を解決するための手段】
【０００６】
請求項１に記載の発明は、情報収集の許諾可否の設定がされておらず自装置に追加される追加サービスを受け付ける受付手段と、情報収集の許諾可否の設定がされた自装置の利用情報と、前記追加サービスの利用情報とが類似する場合に、当該自装置の利用情報に関する情報収集の許諾可否の設定の少なくとも一部を、当該追加サービスに関する情報収集の許諾可否の設定とするよう制御する制御手段とを備えたことを特徴とする情報処理装置である。
請求項２に記載の発明は、前記制御手段は、前記自装置の利用情報の種類と、前記追加サービスの利用情報の種類との類似率が、予め定められた基準を満たす場合に、当該自装置の利用情報と、当該追加サービスの利用情報とが類似すると判断することを特徴とする請求項１に記載の情報処理装置である。
請求項３に記載の発明は、前記制御手段は、前記自装置の利用情報の複数個の種類の中に、前記追加サービスの利用情報の閾値以上の個数の種類が含まれる場合に、前記類似率が前記予め定められた基準を満たすと判断することを特徴とする請求項２に記載の情報処理装置である。
請求項４に記載の発明は、前記制御手段は、前記自装置の利用情報の複数個の種類のそれぞれに設定された重要度を示す指標を用いて、前記類似率が前記予め定められた基準を満たすかどうかを判断することを特徴とする請求項２に記載の情報処理装置である。
請求項５に記載の発明は、前記自装置の利用情報に関する情報収集の許諾可否の設定の少なくとも一部を、前記追加サービスに関する情報収集の許諾可否の設定としてよいかを確認する確認画面を表示させる表示制御手段を更に備えたことを特徴とする請求項１に記載の情報処理装置である。
請求項６に記載の発明は、前記表示制御手段は、前記自装置の利用情報のうちサービスに関する利用情報と、前記追加サービスの利用情報のうちサービスに関する利用情報とが類似せず、当該自装置の利用情報のうちサービスに関する利用情報以外の利用情報と、当該追加サービスの利用情報のうちサービスに関する利用情報以外の利用情報とが類似する場合に、前記確認画面を表示させることを特徴とする請求項５に記載の情報処理装置である。
請求項７に記載の発明は、前記表示制御手段は、前記自装置の利用情報のうち重要度が高いものとして定められた特定の利用情報が、前記追加サービスの利用情報に含まれる場合に、前記確認画面を表示させることを特徴とする請求項５に記載の情報処理装置である。
請求項８に記載の発明は、前記表示制御手段は、自装置に対する前記追加サービスの追加が完了する旨を示す前記確認画面を表示させることを特徴とする請求項５に記載の情報処理装置である。
請求項９に記載の発明は、情報収集の許諾可否の設定がされておらず自装置に追加される追加サービスを受け付ける受付手段と、情報収集の許諾可否の設定がされた自装置の既存サービスと、前記追加サービスとが類似する場合に、当該既存サービスに関する情報収集の許諾可否の設定の少なくとも一部を、当該追加サービスに関する情報収集の許諾可否の設定とするよう制御する制御手段とを備えたことを特徴とする情報処理装置である。
請求項１０に記載の発明は、コンピュータに、情報収集の許諾可否の設定がされておらず自装置に追加される追加サービスを受け付ける機能と、情報収集の許諾可否の設定がされた自装置の利用情報と、前記追加サービスの利用情報とが類似する場合に、当該自装置の利用情報に関する情報収集の許諾可否の設定の少なくとも一部を、当該追加サービスに関する情報収集の許諾可否の設定とするよう制御する機能とを実現させるためのプログラムである。
請求項１１に記載の発明は、コンピュータに、情報収集の許諾可否の設定がされておらず自装置に追加される追加サービスを受け付ける機能と、情報収集の許諾可否の設定がされた自装置の既存サービスと、前記追加サービスとが類似する場合に、当該既存サービスに関する情報収集の許諾可否の設定の少なくとも一部を、当該追加サービスに関する情報収集の許諾可否の設定とするよう制御する機能とを実現させるためのプログラムである。
【発明の効果】
【０００７】
請求項１の発明によれば、追加サービスを装置に追加する際に、その装置の利用情報に関する情報収集の許諾可否の設定を用いて、追加サービスに関する情報収集の許諾可否を設定することが可能となる。
請求項２の発明によれば、追加サービスを装置に追加する際に、その装置の利用情報の種類と追加サービスの利用情報の種類との類似率が基準を満たせば、その装置の利用情報に関する情報収集の許諾可否の設定を用いて、追加サービスに関する情報収集の許諾可否を設定することが可能となる。
請求項３の発明によれば、追加サービスを装置に追加する際に、その装置の利用情報の複数個の種類の中に追加サービスの利用情報の閾値以上の個数の種類があれば、その装置の利用情報に関する情報収集の許諾可否の設定を用いて、追加サービスに関する情報収集の許諾可否を設定することが可能となる。
請求項４の発明によれば、追加サービスを装置に追加する際に、その装置の利用情報の種類の重要度を加味しつつ、その装置の利用情報に関する情報収集の許諾可否の設定を用いて、追加サービスに関する情報収集の許諾可否を設定することが可能となる。
請求項５の発明によれば、追加サービスを装置に追加する際に、その装置の利用情報に関する情報収集の許諾可否の設定の少なくとも一部を、追加サービスに関する情報収集の許諾可否の設定としてよいかを確認させることが可能となる。
請求項６の発明によれば、追加サービスを装置に追加する際に、その装置の利用情報と追加サービスの利用情報とが、サービスについて類似せず、サービス以外について類似していれば、利用情報に関する情報収集の許諾の設定の少なくとも一部を、追加サービスに関する情報収集の許諾可否の設定としてよいかを確認させることが可能となる。
請求項７の発明によれば、追加サービスを装置に追加する際に、その装置の重要度が高いとされる利用情報が追加サービスの利用情報に含まれれば、その装置の利用情報に関する情報収集の許諾の設定の少なくとも一部を、追加サービスに関する情報収集の許諾可否の設定としてよいかを確認させることが可能となる。
請求項８の発明によれば、追加サービスを装置に追加する際に、その装置に対する追加サービスの追加が完了することを確認させることができる。
請求項９の発明によれば、追加サービスを装置に追加する際に、その装置の既存サービスに関する情報収集の許諾可否の設定を用いて、追加サービスに関する情報収集の許諾可否を設定することが可能となる。
請求項１０の発明によれば、追加サービスを装置に追加する際に、その装置の利用情報に関する情報収集の許諾可否の設定を用いて、追加サービスに関する情報収集の許諾可否を設定することが可能となる。
請求項１１の発明によれば、追加サービスを装置に追加する際に、その装置の既存サービスに関する情報収集の許諾可否の設定を用いて、追加サービスに関する情報収集の許諾可否を設定することが可能となる。
【図面の簡単な説明】
【０００８】
【図１】本発明の実施の形態における画像処理装置のハードウェア構成例を示した図である。
【図２】本発明の実施の形態における画像処理装置の機能構成例を示したブロック図である。
【図３】本発明の実施の形態における画像処理装置の動作例を示したフローチャートである。
【図４】本発明の第１の実施の形態で設定情報記憶部に記憶された設定情報の第１の具体例を示した図である。
【図５】本発明の第１の実施の形態の第１の動作例でアプリ情報取得部が取得したアプリ情報の具体例を示した図である。
【図６】本発明の第１の実施の形態の第１の動作例で表示される第１の統合許諾画面の例を示した図である。
【図７】本発明の第１の実施の形態で表示される情報収集許諾画面の例を示した図である。
【図８】本発明の第１の実施の形態で表示される情報選択画面の例を示した図である。
【図９】本発明の第１の実施の形態の第２の動作例でアプリ情報取得部が取得したアプリ情報の具体例を示した図である。
【図１０】本発明の第１の実施の形態の第２の動作例で表示される第２の統合許諾画面の例を示した図である。
【図１１】本発明の第１の実施の形態の第３の動作例でアプリ情報取得部が取得したアプリ情報の具体例を示した図である。
【図１２】本発明の第１の実施の形態の第３の動作例で表示されるインストール許諾画面の例を示した図である。
【図１３】本発明の第１の実施の形態で設定情報記憶部に記憶された設定情報の第２の具体例を示した図である。
【発明を実施するための形態】
【０００９】
以下、添付図面を参照して、本発明の実施の形態について詳細に説明する。
【００１０】
［画像処理装置のハードウェア構成］
図１は、本実施の形態における画像処理装置１０のハードウェア構成例を示した図である。図示するように、画像処理装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読取部１６と、画像形成部１７と、通信インターフェース（以下、「通信Ｉ／Ｆ」と表記する）１８とを備える。
【００１１】
ＣＰＵ１１は、ＲＯＭ１３等に記憶された各種プログラムをＲＡＭ１２にロードして実行することにより、後述する各機能を実現する。
【００１２】
ＲＡＭ１２は、ＣＰＵ１１の作業用メモリ等として用いられるメモリである。ＲＯＭ１３は、ＣＰＵ１１が実行する各種プログラム等を記憶するメモリである。ＨＤＤ１４は、画像読取部１６が読み取った画像データや画像形成部１７における画像形成にて用いる画像データ等を記憶する例えば磁気ディスク装置である。
【００１３】
操作パネル１５は、各種情報の表示やユーザからの操作入力の受付を行う例えばタッチパネルである。ここで、操作パネル１５は、各種情報が表示されるディスプレイと、指やスタイラスペン等の指示手段で指示された位置を検出する位置検出シートとからなる。或いは、タッチパネルに代えて、ディスプレイ及びキーボードを用いてもよい。
【００１４】
画像読取部１６は、紙等の記録媒体に記録された画像を読み取る。ここで、画像読取部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１５】
画像形成部１７は、紙等の記録媒体に画像を形成する。ここで、画像形成部１７は、例えばプリンタであり、感光体に付着させたトナーを記録媒体に転写して像を形成する電子写真方式や、インクを記録媒体上に吐出して像を形成するインクジェット方式のものを用いるとよい。
【００１６】
通信Ｉ／Ｆ１８は、通信回線を介して他の装置との間で各種情報の送受信を行う。
【００１７】
［第１の実施の形態］
（概要）
第１の実施の形態では、画像処理装置１０が、情報収集の許諾可否の設定がされた自装置の利用情報と、情報収集の許諾可否の設定がされておらず自装置に追加される追加サービスの利用情報とが類似する場合に、自装置の利用情報に関する情報収集の許諾可否の設定の少なくとも一部を、追加サービスに関する情報収集の許諾可否の設定とするよう制御する。
【００１８】
（画像処理装置の機能構成）
図２は、第１の実施の形態における画像処理装置１０の機能構成例を示したブロック図である。図示するように、第１の実施の形態における画像処理装置１０は、設定情報記憶部２１と、アプリ情報取得部２２と、照合部２３と、表示制御部２４と、操作受付部２５と、設定反映部２６と、インストール部２７とを備えている。
【００１９】
設定情報記憶部２１は、画像処理装置１０における設定情報を記憶する。設定情報は、画像処理装置１０での情報収集が制限され得る情報項目を含む。また、設定情報は、情報項目ごとに、情報収集の許諾可否が設定されているかの設定状況を含み、情報収集の許諾可否が設定されている場合はその許諾可否設定を含む。更に、設定情報は、情報項目ごとに、サービス情報及びＡＰＩ情報の何れであるかを示す情報も含む。情報項目が特定のサービス上での操作に関する情報である場合、情報項目はサービス情報である。情報項目がＡＰＩで得られる情報である場合、情報項目はＡＰＩ情報である。
【００２０】
アプリ情報取得部２２は、新規のアプリケーション（以下、「新規アプリ」という）が画像処理装置１０に追加されるにあたり、新規アプリが保持する情報（以下、「アプリ情報」という）を取得する。アプリ情報も、画像処理装置１０での情報収集が制限され得る情報項目を含む。また、アプリ情報は、情報項目ごとに、サービス情報及びＡＰＩ情報の何れであるかを示す情報も含む。ここで、アプリ情報は、例えば、新規アプリを管理するサーバ（図示せず）と通信を行うことにより、取得するとよい。また、新規アプリは、情報収集の許諾可否が設定されていないことを前提とする。
【００２１】
本実施の形態では、情報収集の許諾可否の設定がされておらず自装置に追加される追加サービスの一例として、新規アプリを用いており、追加サービスを受け付ける受付手段の一例として、アプリ情報取得部２２を設けている。
【００２２】
照合部２３は、新規アプリが画像処理装置１０に追加されるにあたり、設定情報記憶部２１に記憶された設定情報における情報収集の許諾可否が設定された情報項目と、アプリ情報取得部２２により取得されたアプリ情報における情報項目とを照合して、これらの情報項目が類似しているかどうかを判定する。例えば、設定情報記憶部２１に記憶された設定情報における情報収集の許諾可否が設定された情報項目と、アプリ情報取得部２２により取得されたアプリ情報における情報項目とが類似する率である照合率が予め定められた閾値以上である場合に、これらの情報項目が類似していると判定するとよい。その場合、アプリ情報取得部２２により取得されたアプリ情報における情報項目のうち予め定められた閾値以上の情報項目が、設定情報記憶部２１に記憶された設定情報における情報収集の許諾可否が設定された情報項目に含まれている場合に、照合率が予め定められた閾値以上であると判定するとよい。ここで、照合率が予め定められた閾値以上であるかどうかは、サービス情報である情報項目と、ＡＰＩ情報である情報項目とで、別々に判定してもよい。加えて、設定情報記憶部２１に記憶された設定情報における情報項目のそれぞれに設定された重要度を示す重み係数を用いて、照合率が予め定められた閾値以上であるかどうかを判定してもよい。
【００２３】
本実施の形態では、自装置の利用情報の一例として、情報項目を用いており、情報収集の許諾可否の設定がされた自装置の利用情報と、追加サービスの利用情報とが類似するかどうかを判断する制御手段の機能の一例として、照合部２３を設けている。また、自装置の利用情報の種類と、追加サービスの利用情報の種類との類似率の一例として、照合率を用いており、予め定められた基準の一例として、予め定められた閾値を用いており、類似率が予め定められた基準を満たす場合に、自装置の利用情報と、追加サービスの利用情報とが類似すると判断する制御手段の機能の一例として、照合部２３を設けている。更に、自装置の利用情報の複数個の種類の中に、追加サービスの利用情報の閾値以上の個数の種類が含まれる場合に、類似率が予め定められた基準を満たすと判断する制御手段の機能の一例として、照合部２３を設けている。更にまた、重要度を示す指標の一例として、重み係数を用いており、自装置の利用情報の複数個の種類のそれぞれに設定された指標を用いて、類似率が予め定められた基準を満たすかどうかを判断する制御手段の機能の一例として、照合部２３を設けている。
【００２４】
表示制御部２４は、新規アプリが画像処理装置１０に追加されるにあたり、設定情報記憶部２１に記憶された設定情報における情報収集の許諾可否が設定された情報項目と、アプリ情報取得部２２により取得されたアプリ情報における情報項目とが類似していると照合部２３により判定された場合に、インストールの許諾を得るためのインストール許諾画面と情報収集の許諾を得るための情報収集許諾画面とを統合した統合許諾画面を操作パネル１５に表示するように制御する。ここで、統合許諾画面としては、第１の統合許諾画面と、第２の統合許諾画面とがある。このうち、第１の統合許諾画面は、全ての情報項目についての照合率が閾値以上であり、かつ、サービス情報である情報項目についての照合率も閾値以上である場合の統合許諾画面である。サービス情報である情報項目についての照合率が閾値以上であることから、第１の統合許諾画面では、新規アプリの運用が特定のサービスの運用に近い旨を通知する。一方、第２の統合許諾画面は、全ての情報項目についての照合率は閾値以上であるが、サービス情報である情報項目についての照合率は閾値未満である場合の統合許諾画面である。サービス情報である情報項目についての照合率が閾値未満であることから、第２の統合許諾画面では、特定のサービスには言及せずに新規アプリの運用が画像処理装置１０の運用に近い旨を通知する。また、表示制御部２４は、設定情報記憶部２１に記憶された設定情報における重要度が高いものとして定められた特定の情報項目が、アプリ情報取得部２２により取得されたアプリ情報に含まれる場合に、統合許諾画面を操作パネル１５に表示するように制御してもよい。
【００２５】
本実施の形態では、自装置の利用情報に関する情報収集の許諾可否の設定の少なくとも一部を、追加サービスに関する情報収集の許諾可否の設定としてよいかを確認する確認画面の一例として、情報収集許諾画面を用いており、確認画面を表示させる表示制御手段の一例として、情報収集許諾画面を表示するように制御する表示制御部２４を設けている。また、サービスに関する利用情報の一例として、サービス情報である情報項目を用いており、サービスに関する利用情報以外の利用情報の一例として、ＡＰＩ情報を用いており、自装置の利用情報のうちサービスに関する利用情報と、追加サービスの利用情報のうちサービスに関する利用情報とが類似せず、自装置の利用情報のうちサービスに関する利用情報以外の利用情報と、追加サービスの利用情報のうちサービスに関する利用情報以外の利用情報とが類似する場合に、確認画面を表示させる表示制御手段の一例として、第２の統合許諾画面に統合される情報収集許諾画面を表示するように制御する表示制御部２４を設けている。更に、自装置の利用情報のうち重要度が高いものとして定められた特定の利用情報が、追加サービスの利用情報に含まれる場合に、確認画面を表示させる表示制御手段の一例として、情報収集許諾画面を表示するように制御する表示制御部２４を設けている。更にまた、自装置に対する追加サービスの追加が完了する旨を示す確認画面を表示させる表示制御手段の一例として、インストール許諾画面を表示するように制御する表示制御部２４を設けている。
【００２６】
また、表示制御部２４は、新規アプリが画像処理装置１０に追加されるにあたり、設定情報記憶部２１に記憶された設定情報における情報収集の許諾可否が設定された情報項目と、アプリ情報取得部２２により取得されたアプリ情報における情報項目とが類似していないと照合部２３により判定された場合に、インストールの許諾画面を操作パネル１５（図１参照）に表示するように制御する。
【００２７】
操作受付部２５は、表示制御部２４の制御により操作パネル１５（図１参照）に表示された統合許諾画面又はインストール許諾画面上でのユーザの操作を受け付ける。ここで、統合許諾画面上でのユーザ操作としては、インストール及び情報収集をまとめて許諾する操作、インストールのみ許諾する操作、許諾しない操作がある。インストール許諾画面上でのユーザ操作としては、許諾する操作、許諾しない操作がある。
【００２８】
設定反映部２６は、表示制御部２４の制御により操作パネル１５（図１参照）に表示された統合許諾画面上でのインストール及び情報収集をまとめて許諾する操作を操作受付部２５が受け付けた場合に、アプリ情報取得部２２により取得されたアプリ情報における情報項目について、設定情報記憶部２１に記憶された設定情報における情報収集の許諾可否設定を反映させる。具体的には、新規アプリが情報を収集する際にその情報収集が許諾されているかどうかを確認するために参照する記憶領域に、この許諾可否設定を記憶する。
【００２９】
本実施の形態では、情報収集の許諾可否の設定がされた自装置の利用情報と、追加サービスの利用情報とが類似する場合に、自装置の利用情報に関する情報収集の許諾可否の設定の少なくとも一部を、追加サービスに関する情報収集の許諾可否の設定とするよう制御する制御手段の一例として、設定反映部２６を設けている。
【００３０】
インストール部２７は、表示制御部２４の制御により操作パネル１５（図１参照）に表示された統合許諾画面上でのインストールのみ許諾する操作を操作受付部２５が受け付けた場合に、新規アプリを画像処理装置１０にインストールする。或いは、表示制御部２４の制御により操作パネル１５に表示されたインストール許諾画面上での許諾する操作を操作受付部２５が受け付けた場合に、新規アプリを画像処理装置１０にインストールする。
【００３１】
（画像処理装置の動作）
図３は、本実施の形態における画像処理装置１０の動作例を示したフローチャートである。尚、このフローチャートの動作は、例えば操作パネル１５（図１参照）から新規アプリを追加するユーザ操作があった場合に開始する。
【００３２】
動作が開始すると、画像処理装置１０では、まず、アプリ情報取得部２２が、アプリ情報を取得する（ステップ１０１）。
【００３３】
次に、照合部２３が、設定情報記憶部２１に記憶された設定情報における情報収集の許諾可否が設定された情報項目と、ステップ１０１で取得されたアプリ情報における情報項目とを照合する（ステップ１０２）。そして、全ての情報項目についての情報項目の照合率が予め定められた閾値以上であるかどうかを判定する（ステップ１０３）。
【００３４】
全ての情報項目についての情報項目の照合率が予め定められた閾値以上であると判定すれば、照合部２３は、サービス情報である情報項目についての情報項目の照合率が予め定められた閾値以上であるかを判定する（ステップ１０４）。サービス情報である情報項目についての情報項目の照合率が予め定められた閾値以上であると判定されれば、表示制御部２４が、第１の統合許諾画面を操作パネル１５（図１参照）に表示するように制御する（ステップ１０５）。サービス情報である情報項目についての情報項目の照合率が予め定められた閾値未満であると判定されれば、表示制御部２４が、第２の統合許諾画面を操作パネル１５に表示するように制御する（ステップ１０６）。上述したように、第１の統合許諾画面及び第２の統合許諾画面は、何れも、インストールの許諾を得るためのインストール許諾画面と、情報収集の許諾を得るための情報収集許諾画面とを統合したものであるが、第１の統合許諾画面は、新規アプリの運用が特定のサービスの運用に近い旨を通知するものであるのに対し、第２の統合許諾画面は、特定のサービスには言及せずに新規アプリの運用が画像処理装置１０の運用に近い旨を通知するものである点で異なる。
【００３５】
一方、ステップ１０３で全ての情報項目についての情報項目の照合率が予め定められた閾値未満であると判定されれば、表示制御部２４が、インストール許諾画面を操作パネル１５（図１参照）に表示するように制御する（ステップ１０７）。
【００３６】
ステップ１０５又はステップ１０６で統合許諾画面が操作パネル１５に表示された後、操作受付部２５が、統合許諾画面上で行われたユーザ操作を判別する（ステップ１０８）。
【００３７】
まず、ここで判別されたユーザ操作がインストール及び情報収集をまとめて許諾する操作であった場合について説明する。この場合、設定反映部２６が、ステップ１０１で取得されたアプリ情報における情報項目について、設定情報記憶部２１に記憶された設定情報における情報収集の許諾可否設定を反映させる（ステップ１０９）。そして、インストール部２７が、新規アプリを画像処理装置１０にインストールする（ステップ１１０）。
【００３８】
また、ステップ１０８で判別されたユーザ操作がインストールのみ許諾する操作であった場合について説明する。この場合、設定反映部２６が、ステップ１０１で取得されたアプリ情報における情報項目について、設定情報記憶部２１に記憶された設定情報における情報収集の許諾可否設定を反映させることなく、インストール部２７が、新規アプリを画像処理装置１０にインストールする（ステップ１１０）。
【００３９】
更に、ステップ１０８で判別されたユーザ操作が許諾しない操作であった場合について説明する。この場合、設定反映部２６が、ステップ１０１で取得されたアプリ情報における情報項目について、設定情報記憶部２１に記憶された設定情報における情報収集の許諾可否設定を反映させることなく、かつ、インストール部２７が、新規アプリを画像処理装置１０にインストールすることなく、処理を終了する。
【００４０】
一方、ステップ１０７でインストール許諾画面が操作パネル１５に表示された後、操作受付部２５が、インストール許諾画面上で行われたユーザ操作を判別する（ステップ１１１）。
【００４１】
まず、ここで判別されたユーザ操作が許諾する操作であった場合について説明する。この場合、インストール部２７が、新規アプリを画像処理装置１０にインストールする（ステップ１１０）。
【００４２】
また、ステップ１１１で判別されたユーザ操作が許諾しない操作であった場合について説明する。この場合、インストール部２７が、新規アプリを画像処理装置１０にインストールすることなく、処理を終了する。
【００４３】
（第１の具体例）
図４は、設定情報記憶部２１に記憶された設定情報３１０の具体例を示した図である。ここでは、設定情報記憶部２１にこの設定情報３１０が記憶されていることを前提として、画像処理装置１０の動作の具体例について説明する。
【００４４】
まず、設定情報３１０の具体例について詳細に説明する。図示するように、設定情報３１０は、概念と、情報項目と、情報種別と、設定状況と、許諾可否設定とを対応付けたものとなっている。
【００４５】
概念は、情報項目をその意味から分類したものである。概念は、例えば、サービス情報、データ情報という分類を含む。サービス情報は、画像処理装置１０のアプリケーションに関する情報である。また、データ情報は、画像処理装置１０で取り扱われるデータに関する情報である。そして、このデータ情報は、更に、企業／環境情報と、ユーザ情報とに分けられる。企業／環境情報は、ＩＰアドレス、商品構成情報等の自社に関する情報を含み、ユーザ情報は、宛先表等のユーザが独自に設定した情報を含む。また、概念は、セキュリティが高い情報という分類を更に含んでもよい。このセキュリティが高い情報という分類は、どのユーザにとってもセキュリティレベルが高い情報が振り分けられる分類であり、例えば、ユーザＩＤ、アカウントＩＤ、パスワード等をこの分類に振り分けるとよい。尚、概念は、情報項目の管理上設けられたものと捉え、設定情報記憶部２１にデータとして記憶しなくてもよい。
【００４６】
情報項目は、画像処理装置１０での情報収集が制限され得る情報を、情報収集を許諾するかどうかを設定する単位ごとに列挙したものである。尚、サービス情報に分類される情報項目のうち冒頭に「／」を有するものは、その上の冒頭に「／」を有しないものに続けて記述されることにより、１つの意味のあるサービスを表す。例えば「／Ｔｏメール」は、「スキャン」に続けて記述されることにより、「スキャンＴｏメール」という意味のあるサービスを表す。
【００４７】
情報種別は、対応する情報項目の種別であり、対応する情報項目をその取得手段の観点から分類したものである。情報種別には、サービス情報と、ＡＰＩ情報とがある。対応する情報項目が、画像処理装置１０のサービスにおける操作から取得される場合、その情報項目の情報種別はサービス情報とする。また、対応する情報項目が、画像処理装置１０のサービスを実現するアプリケーションプログラムのＡＰＩから取得される場合、その情報項目の情報種別はＡＰＩ情報とする。
【００４８】
設定状況は、対応する情報項目について情報収集の許諾可否が設定されているかどうかを示す情報である。図中、「設定済」は、許諾可否が設定されていることを示しており、「未設定」は、許諾可否が設定されていないことを示している。
【００４９】
許諾可否設定は、対応する情報項目について情報収集を許諾するかどうかの設定である。画像処理装置１０の運用に関する設定という意味で「運用設定」と呼ぶこともある。図中、「〇」は情報収集が許諾されていることを示し、「×」は情報収集が許諾されていないことを示し、「−」は情報収集の許諾可否が設定されていないことを示している。また、ＡＰＩ情報である情報項目について情報収集を許諾するかどうかを、その情報項目に対する許諾可否設定ではなく、その情報収集を行うサービスを示すサービス情報である情報項目に対する許諾可否設定によって決めるようにしてもよい。例えば、サービス情報である情報項目について許諾可否設定が「〇」となっていれば、そのサービス情報が示すサービスで情報収集されるＡＰＩ情報である情報項目については、許諾可否設定が「〇」、「×」の何れであっても、情報収集を許諾するようにしてよい。或いは、サービス情報である情報項目について許諾可否設定が「×」となっていれば、そのサービス情報が示すサービスで情報収集されるＡＰＩ情報である情報項目については、許諾可否設定が「〇」、「×」の何れであっても、情報収集を許諾しないようにしてよい。
【００５０】
この状態で、新規アプリの追加が要求され、アプリ情報取得部２２が、アプリ情報を取得したとする。以下、その後の具体的な動作について説明する。尚、ここでは、アプリ情報取得部２２が取得したアプリ情報として、３種類を想定し、これらを第１乃至第３の動作例として説明する。また、以下では、図３のステップ１０３で用いる閾値をアプリ情報における全ての情報項目の５０％とし、図３のステップ１０４で用いる閾値をアプリ情報における情報種別がサービス情報である情報項目の５０％とする。更に、上記では、統合許諾画面上でインストールのみ許諾する操作が行われた場合やインストール許諾画面上で許諾する操作が行われた場合における情報収集の許諾可否の個別設定については言及しなかったが、以下では、この情報収集の許諾可否の個別設定についても言及する。
【００５１】
第１の動作例は、新規アプリが「スキャンＴｏＸＸＸ」である場合の例である。但し、「ＸＸＸ」は「メール」ではないものとする。
【００５２】
図５は、第１の動作例において、ステップ１０１でアプリ情報取得部２２が取得したアプリ情報４１０の具体例を示した図である。図示するように、アプリ情報４１０は、情報項目と、情報種別とを対応付けたものとなっている。情報項目、情報種別については、図４に関して既に述べたので、ここでの説明は省略する。
【００５３】
ステップ１０１でアプリ情報取得部２２が図５のアプリ情報４１０を取得すると、ステップ１０２で照合部２３が、図４の設定情報３１０における設定状況が「設定済」の情報項目と、図５のアプリ情報４１０における情報項目とを照合する。ここでは、図４の設定情報３１０の設定状況を参照して、図５のアプリ情報４１０における情報項目のうち、「スキャン」、「ＩＰアドレス」、「ネットワークプロトコル」、「送信履歴」の設定状況が「設定済」となり、「／ＴｏＸＸＸ」の設定状況が「未設定」となる。
【００５４】
これにより、アプリ情報４１０における全ての情報項目である５種類の情報項目のうち、４種類の情報項目の設定状況が「設定済」となっているので、ステップ１０３で照合部２３が、照合率は５０％以上であると判定する。
【００５５】
また、アプリ情報４１０における情報種別がサービス情報である２種類の情報項目のうち、１種類の情報項目の設定状況が「設定済」となっているので、ステップ１０４で照合部２３が、照合率は５０％以上であると判定する。
【００５６】
従って、ステップ１０５で表示制御部２４が、インストール許諾画面と情報収集許諾画面とを統合した第１の統合許諾画面を操作パネル１５に表示するように制御する。
【００５７】
ここで、その後の許諾フローについて説明する。
【００５８】
図６は、第１の統合許諾画面５１０の例を示した図である。第１の動作例では、ステップ１０２で照合部２３が、アプリ情報４１０における情報種別がサービス情報である情報項目のうち、「スキャン」を「設定済」としている。そこで、第１の統合許諾画面５１０には、「スキャンサービスの運用に近い」ことをユーザに通知するメッセージが記述されている。
【００５９】
その後、ステップ１０８で操作受付部２５が、第１の統合許諾画面５１０上でのユーザ操作を受け付けて、その操作内容を判別する。
【００６０】
第１の統合許諾画面５１０上でのユーザ操作がボタン５１３を押下する操作であったとすると、設定情報３１０における許諾可否設定（運用設定）は新規アプリに引き継がれず、新規アプリのインストールも行われない。
【００６１】
第１の統合許諾画面５１０上でのユーザ操作がボタン５１１を押下する操作であったとすると、ステップ１０９で設定反映部２６が、設定情報３１０における許諾可否設定（運用設定）を新規アプリに引き継ぐ。具体的には、図４の設定情報３１０の許諾可否設定を参照して、図５のアプリ情報４１０における情報項目のうち、「スキャン」、「ＩＰアドレス」には「〇」を引き継ぎ、「ネットワークプロトコル」、「送信履歴」には「×」を引き継ぐ。一方、図４の設定情報３１０における情報項目のうち、「／ＴｏＸＸＸ」に対する設定状況は「未設定」となっているので、設定反映部２６は、図５のアプリ情報４１０における「／ＴｏＸＸＸ」には許諾可否設定を引き継がない。また、この場合、ステップ１１０でインストール部２７が、新規アプリを画像処理装置１０にインストールする。
【００６２】
第１の統合許諾画面５１０上でのユーザ操作がボタン５１２を押下する操作であったとすると、新規アプリのインストールのみを行う処理に移行する。但し、ここでは、新規アプリのインストールのみを行う際にも、収集を許諾する情報の種類を選択可能にする。
【００６３】
図７は、情報収集許諾画面５４０の例を示した図である。第１の統合許諾画面５１０上でボタン５１２を押下する操作が行われると、この情報収集許諾画面５４０が表示される。この情報収集許諾画面５４０上でボタン５４２が押下された場合はそのまま処理を終了するが、ボタン５４１が押下された場合は、収集を許諾する情報の種類をユーザに選択させる。
【００６４】
図８は、収集を許諾する情報の種類をユーザに選択させるための情報選択画面５５０の一例を示した図である。「ＡＡＡ」、「ＢＢＢ」等の情報項目にチェックして、ボタン５５１を押下することにより、チェックされた情報項目について情報収集が許諾される。一方、ボタン５５２を押下した場合、情報収集は許諾されない。
【００６５】
第２の動作例は、新規アプリが「ネットワークマネジメント」である場合の例である。
【００６６】
図９は、第２の動作例において、ステップ１０１でアプリ情報取得部２２が取得したアプリ情報４２０の具体例を示した図である。図示するように、アプリ情報４２０も、情報項目と、情報種別とを対応付けたものとなっている。情報項目、情報種別については、図４に関して既に述べたので、ここでの説明は省略する。
【００６７】
ステップ１０１でアプリ情報取得部２２が図９のアプリ情報４２０を取得すると、ステップ１０２で照合部２３が、図４の設定情報３１０における設定状況が「設定済」の情報項目と、図９のアプリ情報４２０における情報項目とを照合する。ここでは、図４の設定情報３１０の設定状況を参照して、図９のアプリ情報４２０における情報項目のうち、「ＩＰアドレス」、「商品構成情報」、「ネットワークプロトコル」の設定状況が「設定済」となり、「ネットワーク」、「／マネジメント」の設定状況が「未設定」となる。
【００６８】
これにより、アプリ情報４２０における全ての情報項目である５種類の情報項目のうち、３種類の情報項目の設定状況が「設定済」となっているので、ステップ１０３で照合部２３が、照合率は５０％以上であると判定する。
【００６９】
また、アプリ情報４２０における情報種別がサービス情報である２種類の情報項目のうち、全ての情報項目の設定状況が「未設定」となっているので、ステップ１０４で照合部２３が、照合率は５０％未満であると判定する。
【００７０】
従って、ステップ１０６で表示制御部２４が、インストール許諾画面と情報収集許諾画面とを統合した第２の統合許諾画面を操作パネル１５に表示するように制御する。
【００７１】
ここで、その後の許諾フローについて説明する。
【００７２】
図１０は、第２の統合許諾画面５２０の例を示した図である。第２の動作例では、ステップ１０２で照合部２３が、アプリ情報４２０における情報種別がサービス情報である情報項目についての照合率が５０％未満と判定しており、アプリ情報４２０における情報種別がＡＰＩ情報である情報項目についての照合となっている。このようにユーザには見えないＡＰＩ情報について照合を行っているので、第２の統合許諾画面５２０で「ネットワーク運用に近い」等のメッセージを記述しても、関連が見えないため許諾されない虞がある。そこで、第２の統合許諾画面５２０には、実際のワークフローに近い「お客様文書の取り扱い運用に近い」ことをユーザに通知するメッセージが記述されている。
【００７３】
その後、ステップ１０８で操作受付部２５が、第２の統合許諾画面５２０上でのユーザ操作を受け付けて、その操作内容を判別する。
【００７４】
第２の統合許諾画面５２０上でのユーザ操作がボタン５２３を押下する操作であったとすると、設定情報３１０における許諾可否設定（運用設定）は新規アプリに引き継がれず、新規アプリのインストールも行われない。
【００７５】
第２の統合許諾画面５２０上でのユーザ操作がボタン５２１を押下する操作であったとすると、ステップ１０９で設定反映部２６が、設定情報３１０における許諾可否設定（運用設定）を新規アプリに引き継ぐ。具体的には、図４の設定情報３１０の許諾可否設定を参照して、図９のアプリ情報４２０における情報項目のうち、「ＩＰアドレス」、「商品構成情報」には「〇」を引き継ぎ、「ネットワークプロトコル」には「×」を引き継ぐ。一方、図４の設定情報３１０における情報項目のうち、「ネットワーク」、「／マネジメント」に対する設定状況は「未設定」となっているので、設定反映部２６は、図９のアプリ情報４２０における「ネットワーク」、「／マネジメント」には許諾可否設定を引き継がない。また、この場合、ステップ１１０でインストール部２７が、新規アプリを画像処理装置１０にインストールする。
【００７６】
第２の統合許諾画面５２０上でのユーザ操作がボタン５２２を押下する操作であったとすると、新規アプリのインストールのみを行う処理に移行する。但し、ここでは、新規アプリのインストールのみを行う際にも、収集を許諾する情報の種類を選択可能にする。この収集を許諾する情報の種類を選択可能にする処理については、図７及び図８を参照して説明したので、ここでの説明は省略する。
【００７７】
第３の動作例は、新規アプリが「プリントＴｏＸＸＸ」である場合の例である。
【００７８】
図１１は、第３の動作例において、ステップ１０１でアプリ情報取得部２２が取得したアプリ情報４３０の具体例を示した図である。図示するように、アプリ情報４３０も、情報項目と、情報種別とを対応付けたものとなっている。情報項目、情報種別については、図４に関して既に述べたので、ここでの説明は省略する。
【００７９】
ステップ１０１でアプリ情報取得部２２が図１１のアプリ情報４３０を取得すると、ステップ１０２で照合部２３が、図４の設定情報３１０における設定状況が「設定済」の情報項目と、図１１のアプリ情報４３０における情報項目とを照合する。ここでは、図４の設定情報３１０の設定状況を参照して、図１１のアプリ情報４３０における情報項目のうち、「ＩＰアドレス」、「送信履歴」の設定状況が「設定済」となり、「プリント」、「／ＴｏＸＸＸ」、「用紙情報」の設定状況が「未設定」となる。
【００８０】
これにより、アプリ情報４３０における全ての情報項目である５種類の情報項目のうち、２種類の情報項目の設定状況のみが「設定済」となっているので、ステップ１０３で照合部２３が、照合率は５０％未満であると判定する。
【００８１】
従って、ステップ１０７で表示制御部２４が、インストール許諾画面を操作パネル１５に表示するように制御する。
【００８２】
ここで、その後の許諾フローについて説明する。
【００８３】
図１２は、インストール許諾画面５３０の例を示した図である。インストール許諾画面５３０には、新規アプリのインストールを許諾するかどうかをユーザに問い合わせるメッセージが記述されている。
【００８４】
その後、ステップ１１１で操作受付部２５が、インストール許諾画面５３０上でのユーザ操作を受け付けて、その操作内容を判別する。
【００８５】
インストール許諾画面５３０上でのユーザ操作がボタン５３２を押下する操作であったとすると、新規アプリのインストールは行われない。
【００８６】
インストール許諾画面５３０上でのユーザ操作がボタン５３１を押下する操作であったとすると、ステップ１１０でインストール部２７が、新規アプリのインストールのみを行う処理に移行する。但し、ここでは、新規アプリのインストールのみを行う際にも、収集を許諾する情報の種類を選択可能にする。この収集を許諾する情報の種類を選択可能にする処理については、図７及び図８を参照して説明したので、ここでの説明は省略する。
【００８７】
（第２の具体例）
図１３は、設定情報記憶部２１に記憶された設定情報３２０の具体例を示した図である。ここでは、設定情報記憶部２１にこの設定情報３２０が記憶されていることを前提として、画像処理装置１０の動作の具体例について説明する。
【００８８】
まず、設定情報３２０の具体例について詳細に説明する。図示するように、設定情報３２０は、概念と、情報項目と、情報種別と、設定状況と、許諾可否設定と、重み係数とを対応付けたものとなっている。
【００８９】
概念、情報項目、情報種別、設定状況、許諾可否設定については、第１の具体例で説明したので、ここでの説明は省略する。
【００９０】
重み係数は、照合率を計算する際の情報項目ごとの重み付けを表す係数である。重み係数は、情報項目ごとの重み付けを同じにして計算した場合に照合率が低くなる場合であっても、照合率を高くしてインストール許諾画面と情報収集許諾画面とを１つの画面に統合することを可能とするものである。重み係数は、画像処理装置１０ごとに設定してもよい。
【００９１】
第２の具体例は、上記第１の具体例の第３の動作例と同じく、新規アプリが「プリントＴｏＸＸＸ」である場合の例である。
【００９２】
この第２の具体例において、ステップ１０１でアプリ情報取得部２２が取得したアプリ情報４３０の具体例は、図１１に示したようなものであるとする。
【００９３】
ステップ１０１でアプリ情報取得部２２が図１１のアプリ情報４３０を取得すると、ステップ１０２で照合部２３が、図１３の設定情報３２０における設定状況が「設定済」の情報項目と、図１１のアプリ情報４３０における情報項目とを照合する。ここでは、図１３の設定情報３２０の設定状況を参照して、図１１のアプリ情報４３０における情報項目のうち、「ＩＰアドレス」、「送信履歴」の設定状況が「設定済」となり、「プリント」、「／ＴｏＸＸＸ」、「用紙情報」の設定状況が「未設定」となる。
【００９４】
上記第１の具体例の第３の動作例では、アプリ情報４３０における全ての情報項目である５種類の情報項目のうち、２種類の情報項目の設定状況のみが「設定済」となっているので、ステップ１０３で照合部２３が、照合率は５０％未満であると判定した。
【００９５】
従って、ステップ１０７で表示制御部２４が、インストール許諾画面を操作パネル１５に表示するように制御した。
【００９６】
これに対し、この第２の具体例では、「設定済」に対するポイントが、「ＩＰアドレス」に対する「４」と、「送信履歴」に対する「１」とを足し合わせた「５」となる。そして、「未設定」に対するポイントが、「プリント」に対する「１」と、「／ＴｏＸＸＸ」に対する「１」と、「用紙情報」に対する「１」とを足し合わせた「３」となる。これにより、「設定済」に対するポイントが、「未設定」に対するポイントよりも大きくなる。
【００９７】
従って、ステップ１０５又はステップ１０６で表示制御部２４が、統合許諾画面を操作パネル１５に表示するように制御する。
【００９８】
（補足）
上記では、画像処理装置１０が第１の実施の形態の動作を行うこととしたが、一般的な情報処理装置が第１の実施の形態の動作を行うこととしてもよい。
【００９９】
［第２の実施の形態］
（概要）
第２の実施の形態では、画像処理装置１０が、情報収集の許諾可否の設定がされた自装置の既存サービスと、情報収集の許諾可否の設定がされておらず自装置に追加される追加サービスとが類似する場合に、既存サービスに関する情報収集の許諾可否の設定の少なくとも一部を、追加サービスに関する情報収集の許諾可否の設定とするよう制御する。
【０１００】
（画像処理装置の機能構成）
第２の実施の形態における画像処理装置１０の機能構成を示したブロック図は、図２に示したものと同じである。第２の実施の形態における画像処理装置１０も、設定情報記憶部２１と、アプリ情報取得部２２と、照合部２３と、表示制御部２４と、操作受付部２５と、設定反映部２６と、インストール部２７とを備えている。
【０１０１】
設定情報記憶部２１は、画像処理装置１０における設定情報を記憶する。第２の実施の形態における設定情報は、サービス情報である情報項目については設定状況及び許諾可否設定を含めなくてよい点を除き、第１の実施の形態における設定情報と同じである。
【０１０２】
アプリ情報取得部２２は、第１の実施の形態で述べたものと同じなので、説明を省略する。
【０１０３】
照合部２３は、新規アプリが画像処理装置１０に追加されるにあたり、設定情報記憶部２１に記憶された設定情報におけるサービス情報である情報項目と、アプリ情報取得部２２により取得されたアプリ情報におけるサービス情報である情報項目とを照合して、これらの情報項目が類似しているかどうかを判定する。例えば、設定情報記憶部２１に記憶された設定情報におけるサービス情報である情報項目の名称やカテゴリと、アプリ情報取得部２２により取得されたアプリ情報におけるサービス情報である情報項目の名称やカテゴリとが類似する率である照合率が予め定められた閾値以上である場合に、これらの情報項目が類似していると判定するとよい。
【０１０４】
本実施の形態では、自装置の既存サービスの一例として、情報項目を用いており、情報収集の許諾可否の設定がされた自装置の既存サービスと、追加サービスとが類似するかどうかを判断する制御手段の機能の一例として、照合部２３を設けている。
【０１０５】
表示制御部２４は、新規アプリが画像処理装置１０に追加されるにあたり、設定情報記憶部２１に記憶された設定情報におけるサービス情報である情報項目と、アプリ情報取得部２２により取得されたアプリ情報におけるサービス情報である情報項目とが類似すると照合部２３により判定された場合に、インストールの許諾を得るためのインストール許諾画面と情報収集の許諾を得るための情報収集許諾画面とを統合した統合許諾画面を操作パネル１５（図１参照）に表示するように制御する。
【０１０６】
また、表示制御部２４は、新規アプリが画像処理装置１０に追加されるにあたり、設定情報記憶部２１に記憶された設定情報におけるサービス情報である情報項目と、アプリ情報取得部２２により取得されたアプリ情報におけるサービス情報である情報項目とが類似しないと照合部２３により判定された場合に、インストールの許諾画面を操作パネル１５（図１参照）に表示するように制御する。
【０１０７】
操作受付部２５、設定反映部２６、インストール部２７については、第１の実施の形態で述べたものと同じなので、説明を省略する。
【０１０８】
本実施の形態では、情報収集の許諾可否の設定がされた自装置の既存サービスと、追加サービスとが類似する場合に、既存サービスに関する情報収集の許諾可否の設定の少なくとも一部を、追加サービスに関する情報収集の許諾可否の設定とするよう制御する制御手段の一例として、設定反映部２６を設けている。
【０１０９】
（画像処理装置の動作）
第２の実施の形態における画像処理装置１０の動作例を示したフローチャートは、次の点を除き、図３に示したものと同じである。即ち、ステップ１０２で、照合部２３が、設定情報記憶部２１に記憶された設定情報におけるサービス情報である情報項目と、ステップ１０１で取得されたアプリ情報におけるサービス情報である情報項目とを照合する点で、図３に示したものと異なる。また、ステップ１０３で情報項目が類似すると判定された場合には、ステップ１０４の判定を行わずに、表示制御部２４が統合許諾画面を操作パネル１５（図１参照）表示するように制御する点で、図３に示したものと異なる。
【０１１０】
（補足）
上記では、画像処理装置１０が第２の実施の形態の動作を行うこととしたが、一般的な情報処理装置が第２の実施の形態の動作を行うこととしてもよい。例えば、情報処理装置をスマートフォン等の携帯端末とし、携帯端末が、新規アプリを追加する際に、既存アプリと新規アプリとが類似していれば、既存アプリに設定された情報収集の許諾可否設定を新規アプリに反映させる、といった動作を行ってもよい。ここで、既存アプリと新規アプリとが類似するとは、アプリ名が類似することの他、アプリが同じカテゴリに属する（例えば同じＳＮＳのカテゴリに属する）こと等を含む。
【０１１１】
［プログラム］
本実施の形態における画像処理装置１０が行う処理は、例えば、アプリケーションソフトウェア等のプログラムとして用意される。
【０１１２】
即ち、本実施の形態を実現する第１のプログラムは、コンピュータに、情報収集の許諾可否の設定がされておらず自装置に追加される追加サービスを受け付ける機能と、情報収集の許諾可否の設定がされた自装置の利用情報と、追加サービスの利用情報とが類似する場合に、自装置の利用情報に関する情報収集の許諾可否の設定の少なくとも一部を、追加サービスに関する情報収集の許諾可否の設定とするよう制御する機能とを実現させるためのプログラムとして捉えられる。
【０１１３】
また、本実施の形態を実現する第２のプログラムは、コンピュータに、情報収集の許諾可否の設定がされておらず自装置に追加される追加サービスを受け付ける機能と、情報収集の許諾可否の設定がされた自装置の既存サービスと、追加サービスとが類似する場合に、既存サービスに関する情報収集の許諾可否の設定の少なくとも一部を、追加サービスに関する情報収集の許諾可否の設定とするよう制御する機能とを実現させるためのプログラムとして捉えられる。
【０１１４】
尚、本実施の形態を実現するプログラムは、通信手段により提供することはもちろん、ＣＤ−ＲＯＭ等の記録媒体に格納して提供することも可能である。
【符号の説明】
【０１１５】
１０…画像処理装置、２１…設定情報記憶部、２２…アプリ情報取得部、２３…照合部、２４…表示制御部、２５…操作受付部、２６…設定反映部、２７…インストール部
【図１】
2020178223.tif 000003
【図２】
2020178223.tif 000004
【図３】
2020178223.tif 000005
【図４】
2020178223.tif 000006
【図５】
2020178223.tif 000007
【図６】
2020178223.tif 000008
【図７】
2020178223.tif 000009
【図８】
2020178223.tif 000010
【図９】
2020178223.tif 000011
【図１０】
2020178223.tif 000012
【図１１】
2020178223.tif 000013
【図１２】
2020178223.tif 000014
【図１３】
2020178223.tif 000015